(57)【要約】【課題】実験の進行状況を適切に表示できる実験システムおよび進行状況表示方法を提供する。【解決手段】  マップ表示手段２１は、計画テーブルから抽出された２つの実験条件の組み合わせを示すコマを、マトリクス状に配列した２次元マップとして表示する。コマ表示手段２２は、実験制御手段１３による実験の進行状況に基づいて、マップ表示手段２１により表示された２次元マップの各コマの表示状態を制御することで、上記２つの実験条件の組み合わせごとに進行状況を表示する。展開表示手段２３は、上記２次元マップのコマに対する操作に従って当該コマの指定を受け付けるとともに、指定された当該コマに対応する実験の進行状況を展開表示する。【選択図】図１
2009180576.tif 000002
【特許請求の範囲】
【請求項１】
計画テーブルに従って実験条件を変更しつつ実験を進行させる実験システムにおいて、
前記計画テーブルに従って、実験を進行させる実験制御手段と、
前記計画テーブルから抽出された２つの実験条件の組み合わせを示すコマを、マトリクス状に配列した２次元マップとして表示するマップ表示手段と、
前記実験制御手段による前記実験の進行状況に基づいて、前記マップ表示手段により表示された前記２次元マップの各コマの表示状態を制御することで、上記２つの実験条件の組み合わせごとに進行状況を表示するコマ表示手段と、
を備えることを特徴とする実験システム。
【請求項２】
前記２次元マップの前記コマに対する操作に従って当該コマの指定を受け付けるとともに、指定された当該コマに対応する実験の進行状況を展開表示する展開表示手段を備えることを特徴とする請求項１に記載の実験システム。
【請求項３】
前記展開表示手段は、前記マップ表示手段およびコマ表示手段を用いることにより、前記指定された当該コマに対応する実験の進行状況を、新たな２つの実験条件の組み合わせごとの進行状況として表示することを特徴とする請求項２に記載の実験システム。
【請求項４】
前記コマ表示手段は、前記実験制御手段による前記実験の進行状況に基づいて、前記各コマに対応する実験の終了予定時刻を算出し、その算出結果を表示することを特徴とする請求項１〜３のいずれか１項に記載の実験システム。
【請求項５】
前記２次元マップの前記コマに対する操作に従って当該コマの指定を受け付けるとともに、指定された当該コマに対応する実験の詳細情報を表示する詳細情報表示手段を備えることを特徴とする請求項１〜４のいずれか１項に記載の実験システム。
【請求項６】
計画テーブルに従って実験条件を変更しつつ実験を進行させる実験システムにおける前記実験の進行状況を表示する進行状況表示方法において、
前記計画テーブルに従って、実験を進行させるステップと、
前記計画テーブルから抽出された２つの実験条件の組み合わせを示すコマを、マトリクス状に配列した２次元マップとして表示するステップと、
前記実験を進行させるステップによる前記実験の進行状況に基づいて、前記２次元マップを表示するステップにより表示された前記２次元マップの各コマの表示状態を制御することで、上記２つの実験条件の組み合わせごとに進行状況を表示するステップと、
を備えることを特徴とする進行状況表示方法。
【発明の詳細な説明】
【技術分野】
【０００１】
本発明は、計画テーブルに従って実験条件を変更しつつ実験を進行させる実験システム、およびそのような実験システムにおける実験の進行状況を表示する進行状況表示方法に関する。
【背景技術】
【０００２】
エンジンなどの被試験物に対し、実験条件を変えながら計測値を取得する実験を繰り返す実験システムが知られている。実験システムは、実験条件が格納されている計画テーブルに従って実験条件を被試験物に与えながら、被試験物から得た計測値を計測テーブルに順次、格納する。通常、実験条件は複数の条件を組み合わせて構成され、個々の条件に対応するループが重ね合わされたフローに従って実験が進行する。すべての実験の終了後、計測テーブルに格納された計測結果を解析することで、最適値などを求めることができる。また、計測結果に基づいて、実験条件の見直しを計画テーブルに反映させる作業なども行われる。
【特許文献１】特開平０５−２９８２８１号公報
【発明の開示】
【発明が解決しようとする課題】
【０００３】
実験システムでは、実験の進捗状況を把握する必要がある。しかし、上記のように、実験のフローは、複数の条件に対応するループが重ね合わされて構成されており、進捗状況をリアルタイムに把握することが困難である。例えば、個々のループの繰り返し回数をカウントし、これを表示することも可能であるが、ループの構成や繰り返し回数は個々の実験により異なるため、適切な表示をさせるためのエンジニアリング作業が煩雑なものとなる。また、個々のループの繰り返し回数に基づく表示では、一連の実験全体の中で、現在の進捗状況がどのようになっているのかを把握することが困難である。
【０００４】
本発明の目的は、実験の進行状況を適切に表示できる実験システムおよび進行状況表示方法を提供することにある。
【課題を解決するための手段】
【０００５】
本発明の実験システムは、計画テーブルに従って実験条件を変更しつつ実験を進行させる実験システムにおいて、前記計画テーブルに従って、実験を進行させる実験制御手段と、前記計画テーブルから抽出された２つの実験条件の組み合わせを示すコマを、マトリクス状に配列した２次元マップとして表示するマップ表示手段と、前記実験制御手段による前記実験の進行状況に基づいて、前記マップ表示手段により表示された前記２次元マップの各コマの表示状態を制御することで、上記２つの実験条件の組み合わせごとに進行状況を表示するコマ表示手段と、を備えることを特徴とする。
この実験システムによれば、２つの実験条件の組み合わせを示すコマを、マトリクス状に配列した２次元マップを表示し、実験の進行状況に基づいて２次元マップの各コマの表示状態を制御するので、現在の状況を実験全体の中での進捗状況として容易に把握することができる。
【０００６】
前記２次元マップの前記コマに対する操作に従って当該コマの指定を受け付けるとともに、指定された当該コマに対応する実験の進行状況を展開表示する展開表示手段を備えてもよい。
【０００７】
前記展開表示手段は、前記マップ表示手段およびコマ表示手段を用いることにより、前記指定された当該コマに対応する実験の進行状況を、新たな２つの実験条件の組み合わせごとの進行状況として表示してもよい。
【０００８】
前記コマ表示手段は、前記実験制御手段による前記実験の進行状況に基づいて、前記各コマに対応する実験の終了予定時刻を算出し、その算出結果を表示してもよい。
【０００９】
前記２次元マップの前記コマに対する操作に従って当該コマの指定を受け付けるとともに、指定された当該コマに対応する実験の詳細情報を表示する詳細情報表示手段を備えてもよい。
【００１０】
本発明の進行状況表示方法は、計画テーブルに従って実験条件を変更しつつ実験を進行させる実験システムにおける前記実験の進行状況を表示する進行状況表示方法において、前記計画テーブルに従って、実験を進行させるステップと、前記計画テーブルから抽出された２つの実験条件の組み合わせを示すコマを、マトリクス状に配列した２次元マップとして表示するステップと、前記実験を進行させるステップによる前記実験の進行状況に基づいて、前記２次元マップを表示するステップにより表示された前記２次元マップの各コマの表示状態を制御することで、上記２つの実験条件の組み合わせごとに進行状況を表示するステップと、を備えることを特徴とする。
この進行状況表示方法によれば、２つの実験条件の組み合わせを示すコマを、マトリクス状に配列した２次元マップを表示し、実験の進行状況に基づいて２次元マップの各コマの表示状態を制御するので、現在の状況を実験全体の中での進捗状況として容易に把握することができる。
【発明の効果】
【００１１】
本発明の実験システムによれば、２つの実験条件の組み合わせを示すコマを、マトリクス状に配列した２次元マップを表示し、実験の進行状況に基づいて２次元マップの各コマの表示状態を制御するので、現在の状況を実験全体の中での進捗状況として容易に把握することができる。
【００１２】
本発明の進行状況表示方法によれば、２つの実験条件の組み合わせを示すコマを、マトリクス状に配列した２次元マップを表示し、実験の進行状況に基づいて２次元マップの各コマの表示状態を制御するので、現在の状況を実験全体の中での進捗状況として容易に把握することができる。
【発明を実施するための最良の形態】
【００１３】
以下、図１〜図５を参照して、本発明による実験システムの一実施形態について説明する。
【００１４】
図１は、本実施形態の実験システムの構成を示すブロック図である。
【００１５】
図１に示すように、本実施形態の実験システムは、エンジン等の被試験物５に対し、順次、異なる実験条件を与えつつ、被試験物５から計測値を取得するサーバとしての実験装置１と、実験装置１による実験の進捗状況を表示するクライアントとしての表示装置２とを備える。実験装置１および表示装置２は、通信バス３により互いに接続されている。
【００１６】
実験装置１には、試験で使用される実験条件を定義した実験テーブルを格納する計画データベース１１と、被試験物５から取得した計測値を個々の実験条件と対応付けて格納する計測テーブル１２と、計画データベース１１に格納された計画テーブルを用いて実験を進行させる実験制御手段１３とが設けられる。
【００１７】
表示装置２には、上記の計画テーブルから抽出された２つの実験条件の組み合わせを示すコマを、マトリクス状に配列した２次元マップとして表示するマップ表示手段２１と、実験制御手段１３による実験の進行状況に基づいて、マップ表示手段２１により表示された２次元マップの各コマの表示状態を制御することで、上記２つの実験条件の組み合わせごとに進行状況を表示するコマ表示手段２２と、上記２次元マップのコマに対する操作に従って当該コマの指定を受け付けるとともに、指定された当該コマに対応する実験の進行状況を展開表示する展開表示手段２３と、上記２次元マップのコマに対する操作に従って当該コマの指定を受け付けるとともに、指定された当該コマに対応する実験の詳細情報を表示する詳細情報表示手段２４とを備える。
【００１８】
図２（ａ）は、計画データベース１１に格納された計画テーブルを例示する図である。図２（ａ）に示すように、計画テーブル７には、個々の条件Ａ，Ｂ，Ｃ，・・・の組み合わせが定義されており、１つの列に相当するレコード７１が１つの組み合わせを示している。
【００１９】
実験は各レコード７１に対応する条件の組み合わせを用いて実行される。例えば、図２（ａ）に示す例では、条件Ａの値（１０００，２０００，・・・）、条件Ｂの値（１００，２００，・・・）、条件Ｃの値（１０，２５，５０，・・・）等を組み合わせることで、１つの実験条件が構成される。
【００２０】
図３は、実験の手順を示すフローチャートを例示する図である。実験制御手段１３は、このようなフローチャートに即して自動運転により実験を進行させる。
【００２１】
図３に示すように、実験は個々の条件Ａ，Ｂ，Ｃ，Ｄを変えながら（ステップＳ１，Ｓ２，Ｓ３，Ｓ４）、繰り返し処理（ループ処理）により行われる。個々の処理における条件Ａ，Ｂ，Ｃ，Ｄの内容（値）は、計画テーブル７に従う。また、条件Ａ，Ｂ，Ｃ，Ｄのループの位置関係は、計画テーブル７により規定される。例えば、計画テーブル７における条件Ａ，Ｂ，Ｃ，Ｄの格納位置とループの位置とが予め対応付けられている。したがって、計画テーブル７を参照することで、条件Ａ，Ｂ，Ｃ，Ｄのループの位置関係が把握可能である。
【００２２】
実験の結果として被試験物５から得られた計測値は、計測データベース１２の計測テーブルに格納される（ステップＳ５）。計画テーブル７により定義されたすべての条件Ａ，Ｂ，Ｃ，Ｄの組み合わせが終了する（ステップＳ６〜Ｓ９の判断が肯定される）と、実験が終了する。
【００２３】
図２（ｂ）は計測テーブルの構成例を示す図である。図２（ｂ）に示すように、計測テーブル８には、条件Ａ，Ｂ，Ｃ，・・・の組み合わせとともに、被試験物５から得られた計測値Ｐ，Ｑ，・・・がレコード８１として対応付けられる。１つのレコード８１は条件Ａ，Ｂ，Ｃ，・・・の１つの組み合わせに対応しており、実験の進行に伴い、計測テーブル８にレコード８１が順次、追加保存される。
【００２４】
図４（ａ）は、表示装置２の表示画面４の表示例を示す図である。
【００２５】
図４（ａ）に示すように、マップ表示手段２１は、計画テーブル７から抽出された２つの条件（図４（ａ）では条件Ａおよび条件Ｂ）の組み合わせを示すコマを、マトリクス状に配列した２次元マップとして表示する。
【００２６】
ここでは、マップ表示手段２１は、フローチャート（図３）において最も外側のループを形成する条件Ａおよび次のループを形成する条件Ｂを抽出し、縦方向に条件Ａを、横方向に条件Ｂをとるようなマップを表示している。例えば、コマ９３は、条件Ａの値が２０００で、条件Ｂの値が６００の組み合わせを示している。
【００２７】
各コマには、コマ表示手段２２により、「終了」、「処理中」、「予定」、「スキップ」、「未処理」のいずれかが進捗状況として表示される。また、進捗状況に応じて各コマの表示色、その他の表示方法を区別することで、視認性を向上させている。
【００２８】
「終了」は、その条件の組み合わせについて実験が終了した旨を、「処理中」はその条件の組み合わせについて実験が進行中である旨を、「予定」はその条件の組み合わせについて実験が予定されている旨を示す。また、「スキップ」は、その条件の組み合わせに対応するレコード７１が計画テーブル７に存在せず、その条件の組み合わせについて実験を行わない旨を示す。また、「未処理」は、その条件の組み合わせに対応するレコード７１は計画テーブル７に存在するが、対応するレコード８１が計測テーブル８に追加されなかった旨を示しており、異常の発生やキャンセルされたことにより、予定されていた実験が実際には実行されなかった場合に対応する。
【００２９】
各コマには、コマ表示手段２２により、さらに終了時刻または終了予定時刻が表示される。
【００３０】
図４（ｂ）に示すように、「終了」が表示されたコマ９１には、実験制御手段１３の制御によりコマ９１に対応する条件での実験が実際に終了した時刻が表示される。また、これから行われる実験のコマ９２には、当該コマ９２に対応する条件での実験の終了予定時刻が括弧書きで表示される。
【００３１】
終了予定時刻は、コマ表示手段２２により、各コマについて実験が終了するごとに再計算され、更新表示される。例えば、終了済みの実験に実際に要した時間に基づいて、予定されている実験に要する時間を予測しなおすことで、終了予定時刻が修正される。
【００３２】
図４（ａ）の例では、左上のコマから右下のコマに向けて、一列ずつ順番に実験が行われる例を示しているが、実験手順とコマの並び順とが、互いに異なっていてもよい。
図４（ｃ）は、図４（ａ）のマップ表示を展開表示手段２３により展開表示した表示例を示している。
【００３３】
表示画面４上において、図４（ａ）に示すコマ９３を選択する操作（例えば、マウスによるダブルクリック）を行うと、図４（ｃ）に示すように、表示画面４に、コマ９３に対応する実験の進捗状況についての詳細が表示される。図４（ｃ）の例では、「処理中」のコマ９３を展開表示した例を示しているが、どの処理状態のコマについても展開表示可能とされている。
【００３４】
図４（ｃ）に示すように、展開表示手段２３は、マップ表示手段２１により、計画テーブル７から抽出された２つの条件（図４（ｃ）では条件Ｃおよび条件Ｄ）の組み合わせを示すコマを、マトリクス状に配列した２次元マップとして表示させる。ここでは、マップ表示手段２１は、フローチャート（図３）において、条件Ａおよび条件Ｂを除き、最も外側のループを形成する条件Ｃおよび次のループを形成する条件Ｄを抽出し、縦方向に条件Ｃを、横方向に条件Ｄをとるようなマップを表示している。
【００３５】
また、各コマには、コマ表示手段２２により、「終了」、「処理中」、「予定」、「スキップ」、「未処理」のいずれかが進捗状況として表示されるとともに、進捗状況に応じて各コマの表示色、その他の表示方法を区別することで、視認性を向上させている。
【００３６】
このように、表示画面４上のコマを展開表示させることで、対応するコマの条件の組み合わせについての実験の進捗状況を新たなマップとして表示することができる。さらに多くの条件が用いられている場合には、展開表示を繰り返すことで、一番内側のループを構成する条件についてまで、進捗状況を表示させることができる。
【００３７】
図５（ａ）は、最も内側のループの１つの条件のみが未表示とされた状態から、さらにコマを展開表示させた場合を示している。この場合には、２次元マップではなく、最後の条件（図５（ａ）では条件Ｃ）についての進捗状況を示すコマが横方向に並んで表示される。
【００３８】
図５（ｂ）は、詳細情報表示手段２４による表示例を示す図である。
【００３９】
図５（ｂ）の例では、表示画面４上での操作により、マップ表示手段２１により表示されたコマ９４を指定することで、コマ９４に対応する実験の詳細情報が表示されている。この例では、マウス操作によってポインタ９５をコマ９４に置くことでコマ９４が指定される。コマ９４が指定されると、詳細情報表示手段２４は計測テーブルにアクセスしてコマ９４に対応する実験で得られた計測値Ｐ，Ｑを取得し、その計測値Ｐ，Ｑを表示領域９６に表示している。
【００４０】
このように、詳細情報表示手段２４の機能により、各コマについて確認したい情報を展開表示させることが可能となる。
【００４１】
詳細情報表示手段２４により表示される詳細情報は任意に設定できる。例えば、指定されたコマの実験についての実験計画や実験結果を示すグラフやレコード等の文字列を表示させてもよい。また、コマを指定する操作は任意に設定でき、例えば、マウスの右クリックを含む操作とすることもできる。ユーザの操作に従って、複数の詳細情報の中から表示させる情報を選択してもよい。
【００４２】
以上のように、本実施形態の実験システムによれば、コマを配列させた２次元マップにより実験の進捗状況を表示するため、全体的な進捗状況をひとめで認識できる。また、コマを指定して展開表示させることで、さらに詳細な進捗状況等を表示させることができるため、現在どの条件で実験が行われているかなどの必要な情報に簡単にアクセスできる。
【００４３】
本発明の適用範囲は上記実施形態に限定されることはない。本発明は、計画テーブルに従って実験条件を変更しつつ実験を進行させる実験システム、およびそのような実験システムにおける実験の進行状況を表示する進行状況表示方法に対し、広く適用することができる。
【図面の簡単な説明】
【００４４】
【図１】一実施形態の実験システムの構成を示すブロック図。
【図２】計画テーブルおよび計測テーブルを示す図であり、（ａ）は計画テーブルを例示する図、（ｂ）は計測テーブルを例示する図。
【図３】実験の手順を示すフローチャートを例示する図。
【図４】表示画面の表示を示す図であり、（ａ）は２次元マップを示す図、（ｂ）は各コマを示す図、（ｃ）はコマを展開した後の２次元マップを示す図。
【図５】表示画面の表示を示す図であり、（ａ）は最も内側のループの１つの条件のみが未表示とされた状態から、さらにコマを展開表示させた場合を示す図、（ｂ）は、詳細情報表示手段による表示例を示す図。
【符号の説明】
【００４５】
１１    計画データベース
１３    実験制御手段
２１    マップ表示手段
２２    コマ表示手段
２３    展開表示手段
２４    詳細情報表示手段
【図１】
2009180576.tif 000003
【図２】
2009180576.tif 000004
【図３】
2009180576.tif 000005
【図４】
2009180576.tif 000006
【図５】
2009180576.tif 000007